(57)【要約】      （修正有）【課題】人の遊び心をくすぐるために注意を惹くことになり、しかも、視覚以外に聴覚に訴えるために、ポイントとなるサインも見逃さないで画面の内容を理解でき、加えて、楽しく接して新しいコミュニケーションを活性化し得る音声メッセージ付き画面案内スタンドを提供する。【解決手段】自由な場所に設置できる起立するスタンド１に、案内・説明・広告等の紹介画面５の表示板３と、その画面の内容をスピーカーで説明する録音による音声発生装置１１と、音声発生装置を起動するための電力供給装置とを備えるとともに、前面または側面で操作するハンドル類９を備えた。【選択図】図１
0003137989.tif 000002
【実用新案登録請求の範囲】
【請求項１】
自由な場所に設置できる起立するスタンドに、案内・説明・広告等の紹介画面の表示板と、その画面の内容をスピーカーで説明する録音による音声発生装置と、音声発生装置を起動するための電力供給装置とを備えるとともに、前面または側面で操作するハンドル類を備えたことを特徴とする音声メッセージ付き画面案内スタンド。
【請求項２】
ハンドル類が、音声発生装置を起動させる電力供給装置としての発電装置の駆動用、若しくは単なる飾りないし遊び用であることを特徴とする請求項１記載の音声メッセージ付き画面案内スタンド。
【請求項３】
音声発生装置が蓄電により起動するように構成され、ハンドルやレバー、押しボタンスイッチなどによりその音声発生装置のスイッチが起動するように、そのための当該ハンドルやレバー、押しボタンスイッチなどを１個から多数個を具備したことを特徴とする請求項１記載の音声メッセージ付き画面案内スタンド。
【請求項４】
音声発生装置が蓄電により起動するように構成され、スタンドの前面に人の気配を感知して音声発生装置のスイッチが起動するように、それを感知するセンサーを具備したことを特徴とする請求項１記載の音声メッセージ付き画面案内スタンド。
【考案の詳細な説明】
【技術分野】
【０００１】
この考案は、商店の店頭や公共施設、各種イベント会場等に設置する案内や説明、広告等の画面を音声付きで表示する音声メッセージ付き画面案内スタンドに関する。
【背景技術】
【０００２】
商店の店頭や店内を始め博物館、動物園などの公共施設や各種イベント会場には、屋内、屋外を問わず多くの案内板や説明板等を掲げるスタンドが設置されている。これにはポスターやチラシ、ＰＯＰ広告、写真などの画面が掲示され、催事の内容やキャンペーンの告知を視覚的に案内し、その中でポイントとなるサインも含めているので、来店者や入場者は、催事の内容を理解した上で、店内や会場を回って楽しく要領良く買い物や見学をしようと、立ち止まってその内容を見たり読んだりしながら理解しようとすることが期待される。
【考案の開示】
【考案が解決しようとする課題】
【０００３】
しかしながら、画面の内容やその中に含まれる重要な多くのサインが視覚だけに訴えうるように構成されているので、それにはデザイン等の専門家の工夫が加わっていたとしても、経験的に種が尽きたようにマンネリ化しているため、良く内容を理解しないで見過ごしたり、あるいは画面の存在に気がつかなかったりして見逃されている場合が非常に多い。
【０００４】
この考案、上記のような実情に鑑みて、人の心に遊び心をくすぐるために注意を惹くことになり、しかも、視覚以外に聴覚に訴えるために、ポイントとなるサインも見逃さないで画面の内容を理解でき、加えて、楽しく接して新しいコミュニケーションを活性化し得る音声メッセージ付き画面案内スタンドを提供することを課題とした。
【課題を解決するための手段】
【０００５】
上記の課題を解決するために、この考案は、自由な場所に設置できる起立するスタンドに、案内・説明・広告等の紹介画面の表示板と、その画面の内容をスピーカーで説明する録音による音声発生装置と、音声発生装置を起動するための電力供給装置とを備えるとともに、前面または側面で操作するハンドル類を備えたことを特徴とする音声メッセージ付き画面案内スタンドを提供するものである。
【０００６】
音声メッセージ付き画面案内スタンドを上記のように構成したから、これを使用する企業や商店、公共施設等においてその使用目的等に応じて画面構成や録音内容が決定される。そして、表示板に画面を展示し、音声発生装置に録音をして所定の箇所に設置する。
【０００７】
通行する場所にこうして設置すれば、ハンドル類に視覚が止まるために、それを見て心理的に操作したくなるために、まず、これによってスタンドが見逃すことのできない存在となる。そして、無視できなくなって通り過ぎることなく近づいて画面にも目が届き、その内容を知ろうとする。また、音声メッセージによりその内容がポイントを外すことなく案内されるため、その後、来客や来場者は、要領良く店内や場内を回って楽しいひととき過ごすことが可能となる。また、ハンドル類を操作すると、面白く思えて人々が集まりそこに楽しくコミュニケーションができる。
【０００８】
音声メッセージの起動に要する電力発生装置は、ハンドル類の操作や太陽光、風力等による発電、バッテリーや電池による蓄電力により作動するものであるが、ハンドル類は、「回して見たい」などという人の心理をくすぐる目的が主で備えるために、単に飾りないし遊び用であることもあり（請求項２）、その場合には、ハンドル類を回さない他の電力を利用することになる。また、蓄電により音声発生装置を起動させる場合には、そのスイッチとしては、ハンドルを始めセンサー等の様々なものを使用することができる（請求項３，４）。
【考案の効果】
【０００９】
以上説明したように、この考案の音声メッセージ付き画面案内スタンドによれば、人の子供心にある好奇心をよぶハンドル類等を備えたことにより、人の心に遊び心をくすぐることで注意を惹くことになり、しかも、視覚以外に音声発生装置で発するメッセージで聴覚に訴えるために、来店者や来場者はポイントとなるサインも見逃さないで画面の内容を理解でき、加えて、回りの人とも楽しく接して新しいコミュニケーションを活性化し得るという優れた効果がある。
【考案を実施するための最良の形態】
【００１０】
次に、この考案の代表的な幾つかの実施形態を図面に基づいて説明する。
【００１１】
図１は、動物園の入り口に設置する音声メッセージ付き画面案内スタンドとして実施した一形態を示したもので、起立するスタンド１の上端部に、画面５を展示する表示板３が備えられ、高さの中途の位置には、裏側に各種装置を内蔵するボックス７を取り付け、前面にハンドル９を備えるほか、ボックス７に内蔵される音声発生装置のスピーカー１１が露出されている。
【００１２】
スタンド１は、次の実施形態を示す図２および図３におけると同様の骨組み構造に金属板材を張り付けたもので、高さ調整可能な足１３，１３，・・を有する台板１５の上に、起立板１７を立設したもので、起立板１７には前面に金属板が張り付けられ、裏面に前記ボックス７が突出して設けられる。なお、全体を動物等に形象して構成することもある。例えば、象に形象し、その鼻をハンドル類とする等である。
【００１３】
表示板３は、額縁状であって、四角形のフレーム１９に上端から印刷物（ポスターやチラシ、ＰＯＰ広告、写真など）が挿入され、それで枠内に画面５の構成されるようになっており、２１はその挿入口を開閉する蓋である。この場合、画面５は、比較的大きな文字で「どうぶつなきごえ  くるくるからくる箱」として記載され、その下に動物達の集まりを、さらにその下にハンドル９の操作要領が記載される。
【００１４】
しかし、別の実施形態として、表示板３は、ＬＥＤランプの点滅や光ファイバーの点滅により絵模様や文字で画面を大胆に構成しても良い。そうすれば、画面５の内容が具体的でなくても、却って音声メッセージによる話言葉が加わることで、来場者、特に子供には創造性をかき立てることになる。さらに、ハンドルや取っ手を回したり、ボタン、スイッチなどを押したりして自ら参加する、親しみが湧く、ハンヅオンの案内ツールとしての新しい音声メッセージ付きサイン＆フォト・スタンドの構成が可能となる。
【００１５】
ボックス７内には、図示は省略するが、ハンドル９によるゼンマイ式発電装置が内蔵されている。それは、ハンドル９の軸と、発電機の変速機の入力軸との間にゼンマイばねと、一方向接続クラッチ機構とが介在しており、ハンドル９を時計回りに回転すると、ゼンマイばねにその弾力に抗して巻かれることにより機械エネルギーが蓄えられ、ハンドル９から手を放すと、機械エネルギーが放出されて発電機が駆動して発電が開始するようになっている。そして、発電された電力で音声発生装置が起動し、スピーカー１１から動物園の案内メッセージが発せられる。
【００１６】
しかし、他の実施形態として、クラッチを設けないでハンドル９で直接発電機を駆動するようにしても良い。また、太陽光発電装置による起電力やバッテリーまたは電池の電力により、音声発生装置を起動するものとすることもある。
【００１７】
ハンドル９は、本実施形態の場合、円板９ａの一端に取っ手９ｂを突設した構造であるので、円盤９ａにも人目をひく絵模様が表され、また、回転方向を表す矢印も表示される。さらにＬＥＤランプを配列し、その点滅で人の注意をいやおうなく惹くようにしても構成することもできる。
【００１８】
スピーカー１１の下には排出口２３が設けられ、利用者が使用を終わった際にこの排出口２３からカードが出るようになっている。このカードには利用者の順番、運勢、各種情報等を広告とともに記載しておくことができる。なお、起立板１７に前に近づくとそれを検知するセンサー２４を設け、センサー２４からの信号で音声発生装置が起動しスピーカー１１から音声が発せられるようにする場合もある。
【００１９】
図２および図３は、別の実施形態を示し、その音声メッセージ付き画面案内スタンドは、図１の実施形態とほゞ同じであるが、ボックス７が後ろばかりでなく前にも突出し、その突出した側面にスピーカー１１が露出している点が違っている。また、ボックス７内には、ハンドル９の回転による手動の発電装置１０が内装されている。１２がＩＣ基板等からなる録音再生が可能な音声発生装置を示す。２７はカウンターである。
【００２０】
図４および図５は、さらに別の実施形態を示したもので、その音声メッセージ付き画面案内スタンドは、起立したスタンド１の上端に頭が載るようにボックス７を搭載し、それにハンドル９による発電装置１０、スピーカー１１およびその音声発生装置１２等が内装される。スタンド１は、台板１５の上に支柱１８を立設した簡素な形態であって、簡単に持ち運びができるように、ボックス７の後ろには、持ち運ぶときの取っ手２９が突設されている。
【００２１】
ハンドル９は、発電装置１０を回転する駆動軸にレバー９ｃを取り付け、その先端に取っ手９ｂを設けたレバー形態である。しかし、親に連れてこられた小さな子供達の間では、ハンドル９の取り合いとなることが考えられるので、支柱１８の横にもう一つ飾りのハンドル９を設けることがある。こうしておけば、発電装置１０を駆動するハンドル９を兄さんに譲って幼い弟がこの飾りのハンドル９で満足して喜ぶことになる。
【図面の簡単な説明】
【００２２】
【図１】この考案の音声メッセージ付き画面案内スタンドを示す斜視図である。
【図２】他の実施形態を示す音声メッセージ付き画面案内スタンドの一部切欠した正面図である。
【図３】同音声メッセージ付き画面案内スタンドの側面から見た断面図である。
【図４】さらに他の実施形態を示す音声メッセージ付き画面案内スタンドの一部切欠した正面図である。
【図５】同音声メッセージ付き画面案内スタンドの側面から見た断面図である。
【符号の説明】
【００２３】
１  スタンド
３  表示板
５  画面
９  ハンドル類としてのハンドル
１０  電力供給装置としての発電装置
１１  音声発生装置のスピーカー
１２  音声発生装置
２４  センサー
【図１】
0003137989.tif 000003
【図２】
0003137989.tif 000004
【図３】
0003137989.tif 000005
【図４】
0003137989.tif 000006
【図５】
0003137989.tif 000007